(57)【特許請求の範囲】
【請求項１】
対向して立設される一対の縦部材間に略板状の横部材を架け渡して構成される棚装置において、一対の縦部材の対向する内側面の前側および奥側に各々上下方向に所定間隔をおいて且つ対応する高さ位置に複数のダボ穴が設けられ、一方、横部材にはその下面前側において略全幅にわたって延長する補強部材が設けられ、該横部材は、その奥側の幅方向両端において縦部材内側面の奥側ダボ穴に挿入された奥側ダボ具により支持され、且つ、該補強部材は、その前側の幅方向両端下面において前記奥側ダボ穴より低い位置に縦部材内側面に設けられている前側ダボ穴に挿入された前側ダボ具により固定されることを特徴とする棚装置。
【請求項２】
横部材の補強部材の高さ寸法をａ、前側ダボ具の上面からダボの上端までの距離をｂ、縦部材のダボ穴のピッチをｃとしたとき、これらが次の関係式を満たすことを特徴とする、請求項１記載の棚装置。
ａ＋ｂ＝ｃ×ｎ（ｎはｎ≧１の整数）
【発明の詳細な説明】
【技術分野】
【０００１】
本発明は、対向して立設される一対の縦部材（側板、仕切板など）間に略板状の横部材（棚板）を架け渡して構成される棚装置に関する。
【背景技術】
【０００２】
下記特許文献１，２には従来技術による棚装置の構成例が示されている。これらの棚装置においては、棚板の前側（特許文献２）または前後（特許文献１）に厚肉部を設けて棚板の曲げ強度を確保している。また、従来の棚装置の多くは、縦部材の内側面の前後に適当間隔で多数のダボ穴を形成しておき、任意の高さ位置のダボ穴に嵌め込んだダボ具上に棚板を載置支持している。
【特許文献１】実公平３−２１６２５号公報
【特許文献２】実公昭５６−８３９号公報
【発明の開示】
【発明が解決しようとする課題】
【０００３】
しかしながら、これら従来技術による棚装置では厚肉部を設けて棚板の曲げ強度を向上させているが、重量物を載せる場合などではなお曲げ強度が不十分であった。
【０００４】
また、単にダボ具に棚板を載せるだけの構成であるため、使用中に振動や地震などの原因で棚板が外れやすいものであった。
【０００５】
したがって、本発明は、棚装置において従来技術の上記欠点を解決し、棚板の耐荷重性を向上させるとともに、ダボ穴を利用した棚板支持において棚板が不用意に外れないようにすることを課題とする。
【課題を解決するための手段】
【０００６】
上記の課題を達成するため、本発明は、対向して立設される一対の縦部材間に略板状の横部材を架け渡して構成される棚装置において、一対の縦部材の対向する内側面の前側および奥側に各々上下方向に所定間隔をおいて且つ対応する高さ位置に複数のダボ穴が設けられ、一方、横部材にはその下面前側において略全幅にわたって延長する補強部材が設けられ、該横部材は、その奥側の幅方向両端において縦部材内側面の奥側ダボ穴に挿入された奥側ダボ具により支持され、且つ、該補強部材は、その前側の幅方向両端下面において前記奥側ダボ穴より低い位置に縦部材内側面に設けられている前側ダボ穴に挿入された前側ダボ具により固定されることを特徴とする。
【０００７】
本発明の棚装置を構成する縦部材は、収納家具などの側板や仕切板などであり、主として無垢板、合板、集成板、木質繊維板（ＭＤＦなど）、パーティクルボード、単板積層板（ＬＶＬ）などの木質系材料で形成される。
【０００８】
対向して立設される一対の縦部材の各内側面に設けられるダボ穴は、縦部材の内側面からその厚さ範囲内において所要深さに形成される非貫通穴であっても良いし、縦部材の肉厚を貫通する穴であっても良い。
【０００９】
本発明の棚装置を構成する横部材は、収納家具などの棚板として用いられ、縦部材と同様に、主として無垢板、合板、集成板、木質繊維板（ＭＤＦなど）、パーティクルボード、単板積層板（ＬＶＬ）などの木質系材料で形成される。
【００１０】
横部材の下面前側において略全幅にわたって延長するように設けられる補強部材は、横部材の板部と一体的に形成したもの（たとえば削り出しによって形成したもの）であっても良いし、あるいは、別体として作成した補強部材をビスや接着剤などで板部の下面前側に固着しても良い。補強部材の形状は、横部材の前側の断面係数を大きくするものであれば特に限定されないが、矩形状、Ｉ形状、Ｔ形状（好ましくはＴの横棒が下側になるように設ける）などの断面形状を有することができる。適宜丸みを帯びた形状としても良い。
【００１１】
前側ダボ具および奥側ダボ具はいずれも強度のある材料で形成され、特に鋼、アルミニウム合金、亜鉛合金などの金属材料で形成されることが好ましい。前側ダボ具を補強部材の幅方向両端下面に固定する手段は着脱可能なものであることが好ましく、ビスを利用した固定手段のほか、公知のワンタッチ機構金具（カムとレバーを利用した固定金具）を用いても良い。
【００１２】
本発明において、横部材の補強部材の高さ寸法をａ、前側ダボ具の上面からダボの上端までの距離をｂ、縦部材のダボ穴のピッチをｃとすると、これらは次の関係式を満たすように決定される（図３）。
ａ＋ｂ＝ｃ×ｎ（ｎはｎ≧１の整数）
【００１３】
すなわち、補強部材の高さａと前側ダボ具の上面からダボ上端までの距離ｂとの合計寸法が、縦部材のダボ穴のピッチｃの整数ｎ倍となるように決定される。言い換えれば、前側ダボ具のダボが挿入される前側ダボ穴の位置は、奥側ダボ具のダボが挿入される奥側ダボ穴より下方にあり、一つ下、二つ下または三つ以上下のダボ穴であって良い。
【００１４】
なお、縦部材は前記のように木質系材料で形成されるのである程度の圧縮変形および復元性を有するため、前側ダボ穴および奥側ダボ穴は、原則として前側ダボ具および奥側ダボ具のダボの外径と略同一に形成する。
【発明の効果】
【００１５】
本発明による棚装置において棚板として用いられる横部材は、その下面前側において略全幅にわたって延長する補強部材を有する。この横部材は、補強部材の幅方向両端下面に前側ダボ具を固定して該前側ダボ具を前側ダボ穴に挿入することにより固定されるとともに、その奥側の幅方向両端下面に奥側ダボ具を固定して該奥側ダボ具を奥側ダボ穴に挿入することにより固定され、前側と奥側とでは、高さ位置が異なるダボ穴にダボ具が挿入されることとなる。より具体的に言えば、補強部材の幅方向両端下面に固定される前側ダボ具が挿入される前側ダボ穴は、横部材の奥側の幅方向両端下面に固定される奥側ダボ具が挿入される奥側ダボ穴より、補強部材の高さ寸法ａに前側ダボ具の上面からダボ上端までの距離ｂを加えた寸法に相当する分だけ低い位置にある。したがって、横部材の前側に必要とされる曲げ強度（断面係数）に応じて、補強部材の高さ寸法を大きく設定することができる。
【００１６】
前側ダボ具が補強部材に固定され、且つ、縦部材のダボ穴に前側ダボ具および奥側ダボ部のダボが挿入されるので、対向する一対の縦部材間の距離が一定に保持される限り、横部材が外れることがない。
【００１７】
補強部材の幅方向両端下面に前側ダボ具を固定するに当たってビスなどの着脱可能な固定手段を用いるものとすれば、横部材の取付箇所（高さ位置）を変えたいときには該固定手段を解除することにより横部材を一旦取り外し、所望の箇所に移動させた後に再度固定手段で前側ダボ具に固定すれば良く、収納物に応じて収納スペースを自在に変更することができる。
【発明を実施するための最良の形態】
【００１８】
図１には本発明の一実施形態による棚装置１０が示されている。この棚装置１０は、対向して立設される一対の縦部材（側板１１および中仕切板１２）と、これらの間に架設される横部材（棚板１３）と、棚板１３を支持する前側ダボ具１４および奥側ダボ具１５とを備えている。
【００１９】
側板１１および中仕切板１２には、各々、その対向する面（内側面）の前側および奥側に上下方向（高さ方向）Ｘに所定ピッチでダボ穴１６（１６ａ，１６ｂ），１７（１７ａ，１７ｂ）が平行に列設されている。前側ダボ穴１６と奥側ダボ穴１７は同じ高さ位置で対応しており、且つ、側板１１と中仕切板１２の前側ダボ穴１６ａ，１６ｂおよび奥側ダボ穴１７ａ，１７ｂも同じ高さ位置で対応している。
【００２０】
棚板１３は、その下面前側において幅方向（左右方向）Ｙ全長にわたって補強部材１８を有する。この実施形態では、平板状の板部１３ａの下面前側に、別途作成した同幅の補強部材１８を接着剤などで固定して所定寸法だけ垂下させた構成が採用されている。また、板部１３ａの前木口には略全幅にわたる化粧材２０が設けられている。この実施形態では、図２に示すように、断面三日月状の条材が化粧材２０として用いられ、その裏面側から突出する突起２０ａを板部１３ａの前木口に形成された水平溝（符号なし）に嵌入し、適宜接着剤を併用して固定されている。
【００２１】
前側ダボ具１４は図４に示される形状を有しており、より詳しくは、取付状態において略水平な上面を与える水平片１４ａと、この水平片１４ａの外方端から下方に折り曲げ垂下して略垂直な外側面を与える垂下片１４ｂと、垂下片１４ｂから外方に突出する略棒状ないし円柱状のダボ１４ｃとを有する一体成形品であり、水平片１４ａにはビス孔１４ｄが形成されている。
【００２２】
奥側ダボ具１５は図５に示される形状を有しており、より詳しくは、取付状態において略水平面を与える上面１５ａと、略垂直面を与える側面１５ｂとを有する異形ブロック１５ｃからなり、側面１５ｂから外方に突出する略棒状ないし円柱状のダボ１５ｄを有する。
【００２３】
前側ダボ具１４は、そのダボ１４ｃを側板１１および中仕切板１２の所望の同一高さ位置にある前側ダボ穴１６ａ，１６ｂに挿入し、且つ、その垂下片１４ｂを側板１１および中仕切板１２の内側面に密接させた状態にして、補強部材１８の幅方向両端の下面にビス１９で固定される。これにより、前側ダボ具１４の水平片１４ａ上に補強部材１８の両端下面が密着状態で載置され、棚板１３およびその上に置かれた収納物による荷重を支える。ビス１９は前側ダボ具１４のビス孔１４ｄに下から挿入され、補強部材１８にねじ込まれることにより、前側ダボ具１４を補強部材１８の幅方向両端下面に固定する。このとき、図２に示すようにビス１９を補強部材１８に貫通させて板部１３ａの中途まで入り込むようにすると、補強部材１８を板部１３ａに対してより強固に一体化させることができる。あるいは、接着剤を用いる必要なしに補強部材１８を板部１３ａに固着することができるので、ビス１９を補強部材１８に対する前側ダボ具１４の固着および板部１３ａに対する補強部材１８の固定に兼用させることができる。
【００２４】
棚板１３は、上記のようにして補強部材１８の幅方向両端下面に固定された前側ダボ具１４を介して側板１１および中仕切板１２間に架け渡され固定されるとともに、その板部１３ａの奥側において、奥側ダボ具１５によって支持される。奥側ダボ具１５は、あらかじめダボ１５ｄが側板１１および中仕切板１２の所望の高さ位置の奥側ダボ穴１７ａ，１７ｂに挿入されて側面１５ｂが側板１１および中仕切板１３の内側面に密接した状態で取り付けられており、その上面１５ａに板部１３ａの奥側両端下面が密着状態で載置され、棚板１３およびその上に置かれた収納物による荷重を支える。
【００２５】
棚板１３は、上記のようにして、任意の高さ位置のダボ穴１６，１７を利用して側板１１および中仕切板１２間に架設することができるが、前側ダボ具１４のダボ１４ｃが挿入される前側ダボ穴１６ａ，１６ｂと、奥側ダボ具１５のダボ１５ｄが挿入される奥側ダボ穴１７ａ，１７ｂとは高さ位置が異なる。すなわち、棚板１３の前側には補強部材１８が設けられていて所定の高さ寸法ａだけ垂下しており、前側ダボ具１４は補強部材１８の両端下面を支えるのに対して、奥側ダボ具１５は棚板１３の板部１３ａの両端下面を支えるので、前側ダボ具１４のダボ１４ｃが挿入される前側ダボ穴１６ａ，１６ｂは、奥側ダボ具１５のダボ１５ｄが挿入される奥側ダボ穴１７ａ，１７ｂより低い位置にある。この実施形態では、図２に示されるように、前側ダボ具１４は、奥側ダボ具１５が取り付けられる奥側ダボ穴１７ａ，１７ｂより二つ下に位置するが前側ダボ穴１６ａ，１６ｂに取り付けられている。
【００２６】
この点について図３を参照してさらに説明すると、補強部材１８の高さ寸法をａ、前側ダボ具１４の上面からダボ１４ｃの上端までの距離をｂ、縦部材１１，１２のダボ穴１６，１７のピッチをｃとしたとき、これらは次の関係式を満たすように決定される。
ａ＋ｂ＝ｃ×ｎ（ｎはｎ≧１の整数）
【００２７】
図示実施形態ではｎ＝２であるが、ｎ＝１でも良いし、ｎ≧３であっても良い。このように、補強部材１８の高さ寸法ａと前側ダボ具１４の上面からダボ上端までの距離ｂの合計寸法（ａ＋ｂ）がダボ穴ピッチｃの整数倍となるように設計することにより、上記関係式を満たすことができ、前後のダボ穴１６，１７を利用して棚板１３を前側（補強部材１８）および奥側で前側および奥側のダボ具１４，１５を介して側板１１および中仕切板１２間に架設することが可能となる。
【００２８】
図６は本発明の棚装置をクローゼットの内部収納家具に適用した実施形態を示す。このクローゼット内部収納家具３０は、対向して立設される一対の側板３１，３２と、これら側板３１，３２間の収納空間を左右に仕切る中仕切板３３と、これら側板３１，３２および中仕切板３３の上端に掛け渡すように設けられる天板３４と、側板３１，３２の奥側下端間に架設される幅木３５とを有する。そして、本発明の棚装置が側板３１と中仕切板３３との間に設けられ、これら側板３１と中仕切板３３間に横部材としての棚板３６が架設されている。棚板３６の前側には全幅にわたる補強部材３７が所定の高さ寸法に垂下して設けられている。補強部材３７は図１〜図５を参照して既述したと同様にして取り付けられる。
【００２９】
なお、図６においては、側板３１と中仕切板３３との間に、補強部材３７を備えた棚板３６のほかに、可動棚３８，３８および固定棚３９が架設されている。可動棚３８は側板３１と中仕切板３３のダボ穴に挿入した４つのダボ上に載せられており、これを持ち上げることにより簡単に外すことができるものである。固定棚３９は側板３１および中仕切板３３に対して固定金具などで固定されており、該固定金具を解除しない限り外すことができないもので、側板３１および中仕切板３３とともに枠体の一部を構成し、内部収納家具３０の強度を確保している。これら可動棚３８，固定棚３９は収納家具において公知であり、且つ、本発明の主題には直接関連しないので、これ以上の説明を省略する。また、図６の内部収納家具３０においては側板３２と中仕切板３３の上部近くの間に棒状または管状のハンガーフック４０が架設されているが、これも収納家具において公知であり、且つ、本発明の主題には直接関連しないので、これ以上の説明を省略する。
【００３０】
このクローゼット内部収納家具３０において、側板３１と中仕切板３３とは、天板３４および固定棚３９によって棚板３６の幅寸法と略同一である所定の距離に維持されており、これらの間に棚板３６（あらかじめ板部の前側裏面に補強部材３７がビスまたはビスと接着剤の併用などにより固定されている）を取り付けるには、（１）棚板３６が所望の高さとなる位置に、前側および奥側のダボ具１４，１５の各ダボ１４ｃ，１５ｄを対応するダボ穴１６，１７に挿入し、（２）前側および奥側のダボ具１４，１５の上に棚板３６を載置し、（３）前側ダボ具１４のビス孔１４ｄに下からビス１９を通して補強部材１８に固定する。既述したように、（１）において前側ダボ具１４のダボ１４ｃは、奥側ダボ具１５のダボ１５ｄが挿入される奥側ダボ穴１７より下方に位置する前側ダボ穴１６に挿入される。
【００３１】
このようにして架設された棚板３６を外すときには、前側ダボ具１４を補強部材１８に固定しているビス１９を外し、棚板３６を持ち上げれば良い。そして、前側および奥側のダボ具１４，１５の各ダボ１４ｃ，１５ｄを外して別の対応するダボ穴１６，１７に挿入し、上記（２）および（３）を行うことにより、棚板３６の設置位置を上下方向において変更することができ、棚板３６上に載せる収納物の変更などに対応させることができる。
【産業上の利用可能性】
【００３２】
本発明の棚装置は、クローゼットの内部収納家具の棚、押入れの内部に設ける棚、家具の棚などに好適に利用することができる。
【図面の簡単な説明】
【００３３】
【図１】本発明の一実施形態による棚装置の部分透視図である。
【図２】図１中Ａ−Ａ断面図である。
【図３】この棚装置における棚板補強部材の高さ寸法ａと前側ダボ具の上面高さｂとダボ穴ピッチｃとの関係を説明する図である。
【図４】この棚装置における前側ダボ具の斜視図である。
【図５】この棚装置における奥側ダボ具の斜視図である。
【図６】本発明の棚装置をクローゼットの内部収納家具に適用した実施形態を示す斜視図である。
【符号の説明】
【００３４】
１０  棚装置
１１  側板（縦部材）
１２  中仕切板（縦部材）
１３  棚板
１３ａ  棚板の板部
１４  前側ダボ具
１４ｃ  ダボ
１５  奥側ダボ具
１５ｄ  ダボ
１６（１６ａ，１６ｂ）  前側ダボ穴
１７（１７ａ，１７ｂ）  奥側ダボ穴
１８  補強部材
１９  ビス
２０  化粧材
３０  クローゼット内部収納家具
３１，３２  側板
３３  中仕切板
３６  棚板
３７  補強部材
【図１】
0005118911.tif 000002
【図２】
0005118911.tif 000003
【図３】
0005118911.tif 000004
【図４】
0005118911.tif 000005
【図５】
0005118911.tif 000006
【図６】
0005118911.tif 000007